(57)【要約】【課題】サイドシール部の解放を簡単且つスムーズに行えるパンツ型吸収性物品を提供する。【解決手段】パンツ型吸収性物品１は、外装体２と吸収性本体３とを具備し、サイドシール部Ｓが形成されている。外装体２は、外層シート２２、内層シート２３及び物品横方向Ｙに配された複数本の弾性部材２４を備える。サイドシール部Ｓの物品横方向Ｙの内側近傍に、外層シート２２と内層シート２３とが物品縦方向Ｘに沿って間欠的に接合された間欠接合部２６Ｓを有し、該接合部２６Ｓは、弾性部材２４と重ならないように間欠的に形成された複数の内側接合部２６を有する。サイドシール部Ｓは、弾性部材２４と重ならないように間欠的に形成された複数の外側接合部５を有している。内側接合部２６の外縁部２６ｇは、外側接合部５と同じ高さに位置する部分と、外側接合部５の上端位置より上方に延出する部分と、外側接合部５の下端位置より下方に延出する部分とを有する。【選択図】図２
2014124477.tif 000002
【特許請求の範囲】
【請求項１】
外装体と、該外装体に固定されている吸収性本体とを具備し、
前記外装体は、着用者の腹側に配される腹側部と着用者の背側に配される背側部とを有し、腹側部の両端部と背側部の両端部とが接合されて一対のサイドシール部が形成されているパンツ型吸収性物品であって、
前記外装体は、着用者の身体から遠い側に配される外層シートと、着用者の身体に近い側に位置する内層シートと、これら両シート間に物品横方向に沿って伸長状態で配された複数本の弾性部材を備えており、
腹側部及び背側部それぞれは、一対の前記サイドシール部それぞれの物品横方向の内側近傍に、前記外層シートと前記内層シートとが、物品縦方向に沿って間欠的に接合された間欠接合部を有しており、
前記間欠接合部は、前記弾性部材と重ならないように物品縦方向に間欠的に形成された複数の内側接合部を有し、
前記サイドシール部は、前記弾性部材と重ならないように物品縦方向に間欠的に形成された複数の外側接合部を有しており、
前記間欠接合部の個々の前記内側接合部は、前記サイドシール部側に位置し物品縦方向に沿う外縁部が、物品縦方向において前記外側接合部と同じ高さに位置する部分と、該外側接合部の上端位置より上方に延出する部分と、該外側接合部の下端位置より下方に延出する部分とを有する、パンツ型吸収性物品。
【請求項２】
前記外側接合部は、物品横方向の長さが物品縦方向の長さよりも長い横長形状である、請求項１記載のパンツ型吸収性物品。
【請求項３】
前記外側接合部は、物品横方向に延びる上辺及び下辺を有し、該上辺及び該下辺のそれぞれの延長線が、該外側接合部と同じ高さに位置する部分を有する前記外縁部と交差する、請求項１又は２記載のパンツ型吸収性物品。
【請求項４】
前記内側接合部は、物品縦方向の長さが物品横方向の長さよりも長い縦長形状である、請求項１〜３の何れか１項記載のパンツ型吸収性物品。
【請求項５】
前記外側接合部は、前記腹側部の前記両端部と前記背側部の前記両端部とを超音波接合することによって形成されている、請求項１〜４の何れか１項記載のパンツ型吸収性物品。
【請求項６】
前記間欠接合部の物品横方向の内側に該間欠接合部と同一構成の第２間欠接合部が形成されている、請求項１〜５の何れか１項記載のパンツ型吸収性物品。
【請求項７】
腹側部及び背側部それぞれの物品横方向における前記間欠接合部より外方に、複数本の前記弾性部材が、前記内層シートと前記外層シートとの間に伸長状態で接着固定された外側固定領域を有し、該外側固定領域は、前記外側接合部の外側端部又はそれより外方まで達している、請求項１〜６の何れか１項記載のパンツ型吸収性物品。
【発明の詳細な説明】
【技術分野】
【０００１】
本発明は、パンツ型吸収性物品に関する。
【背景技術】
【０００２】
パンツ型使い捨ておむつのサイドシール部は、物品の着用状態においては強固な接合が維持されることが要求される一方、廃棄時には容易に剥離できることが要求されている。パンツ型使い捨ておむつの技術分野においてこれまで提案されているサイドシール部としては、例えば特許文献１に記載されているとおり、接着剤とヒートシールとを併用して形成されたものが挙げられる。また、特許文献２に記載されているとおり、サイドシール部に、物品の上下方向に所定の間隔を隔てて配列された直線状の接着線群を、物品の幅方向に多列に配列したものも挙げられる。
【０００３】
また、パンツ型の使い捨ておむつ等のパンツ型吸収性物品として、外装体を構成する２枚のシート間を、物品縦方向に沿って間欠的に接合された間欠接合部で接合するとともに、そのような間欠接合部を物品横方向に多列に形成して、外装体の柔軟性や通気性を高めたものが知られている（特許文献３参照）
【先行技術文献】
【特許文献】
【０００４】
【特許文献１】特開平７−２１３５５３号公報
【特許文献２】特開２００２−１１０４３号公報
【特許文献３】特開２０１１−２５００６号公報
【発明の概要】
【発明が解決しようとする課題】
【０００５】
通常、パンツ型吸収性物品は、廃棄する目的で脱がす際に、サイドシール部を物品縦方向に引き裂く。しかし、例えば、特許文献１及び２の従来のパンツ型吸収性物品においては、サイドシール部を引き裂く際に、サイドシール部を構成するシートが、物品の横方向に向かって裂け、サイドシール部を物品縦方向にスムーズに引き裂くことが難しくなる場合があった。このような不都合は、低コスト及び低環境負荷の観点から、サイドシール部を構成する部材として、低坪量のシート材料を使用する場合や、物品の付加価値向上の観点から、伸縮性や風合い等が向上したシート材料を使用する場合に生じやすい。
【０００６】
従って、本発明の課題は、前述した従来技術が有する欠点を解消し得る使い捨て吸収性物品を提供することにある。
【課題を解決するための手段】
【０００７】
本発明は、外装体と、該外装体に固定されている吸収性本体とを具備し、前記外装体は、着用者の腹側に配される腹側部と着用者の背側に配される背側部とを有し、腹側部の両端部と背側部の両端部とが接合されて一対のサイドシール部が形成されているパンツ型吸収性物品であって、前記外装体は、着用者の身体から遠い側に配される外層シートと、着用者の身体に近い側に位置する内層シートと、これら両シート間に物品横方向に沿って配された複数本の弾性部材を備えており、腹側部及び背側部それぞれは、一対の前記サイドシール部それぞれの物品横方向の内側近傍に、前記外層シートと前記内層シートとが、物品縦方向に沿って間欠的に接合された間欠接合部を有しており、前記間欠接合部は、前記弾性部材と重ならないように物品縦方向に間欠的に形成された複数の内側接合部を有し、前記サイドシール部は、前記弾性部材と重ならないように物品縦方向に間欠的に形成された複数の外側接合部を有しており、前記間欠接合部の個々の前記内側接合部は、前記サイドシール部側に位置し物品縦方向に沿う外縁部が、物品縦方向において前記外側接合部と同じ高さに位置する部分と、該外側接合部の上端位置より上方に延出する部分と、該外側接合部の下端位置より下方に延出する部分とを有するパンツ型吸収性物品を提供するものである。
【発明の効果】
【０００８】
本発明のパンツ型吸収性物品によれば、サイドシール部を構成するシートの破断が物品横方向内方に向かって進行しても、その進行方向をサイドシール部の縦方向に是正することができ、サイドシール部を解放する作業を簡単且つスムーズに行うことができる。
【図面の簡単な説明】
【０００９】
【図１】図１は、本発明の一実施形態であるパンツ型使い捨ておむつを示す斜視図である。
【図２】図２は、図１に示すおむつを展開して引き伸ばした状態を吸収性本体側から見た展開平面図である。
【図３】図３は、図１に示すおむつにおけるサイドシール部及びその近傍の部位を、Ｉ−Ｉ線に沿って切断したときの断面図である。
【図４】図４は、図１に示すおむつにおける、サイドシール部の外側接合部及び間欠接合部の内側接合部の形状や位置関係を示す模式図である。
【図５】図５は、本発明の他の実施形態における、サイドシール部の外側接合部及び間欠接合部の内側接合部の形状や位置関係を示す模式図であり、図５（ａ）は第２実施形態、図５（ｂ）は第３実施形態、図５（ｃ）は第４実施形態、図５（ｄ）は第５実施形態のものを示す模式図である。
【図６】図６は、本発明の更に他の実施形態における、サイドシール部の外側接合部及び間欠接合部の内側接合部の形状や位置関係を示す模式図であり、図６（ａ）は第６実施形態、図６（ｂ）は第７実施形態、図６（ｃ）は第８実施形態、図６（ｄ）は第９実施形態のものを示す模式図である。
【発明を実施するための形態】
【００１０】
以下に、本発明のパンツ型吸収性物品をその好ましい実施形態に基づき図面を参照しながら説明する。
本発明の一実施形態であるパンツ型使い捨ておむつ１について、図１〜図３を参照しつつ説明する。図１に示すように、本実施形態のパンツ型使い捨ておむつ１は、外装体２と、該外装体２に固定されている吸収性本体３とを具備する。また、外装体２は、着用時に、着用者の腹側に配される腹側部Ａと着用者の背側に配される背側部Ｂとを有しており、物品横方向Ｙにおける腹側部Ａの両端部と背側部Ｂの両端部とが合掌状に接合されて一対のサイドシール部Ｓ，Ｓが形成されている。また、この接合によって、ウエスト開口部ＷＯ及び一対のレッグ開口部ＬＯが形成されている。
本実施形態のおむつ１における外装体２は、腹側部Ａを形成する腹側シート部材２Ａと、背側部Ｂを形成する背側シート部材２Ｂとを有しており、一対のサイドシール部Ｓ，Ｓにおいては、腹側シート部材２Ａにおける物品横方向Ｙの両端部と背側シート部材２Ｂの物品横方向Ｙの両端部とが接合されている。外装体２の腹側部Ａ若しくは背側部Ｂ又はそれらを構成する腹側若しくは背側シート部材は、物品横方向両端に、腹側部Ａと背側部Ｂとの間が接合されていない細幅の領域、例えば１０ｍｍ以下の領域を有していてもよい。その場合も、物品横方向Ｙの両端部が接合されていることに含まれる。
【００１１】
本実施形態のおむつ１は、図２に示すように、物品縦方向Ｘに延びる物品縦方向中心線ＣＬに対して左右対称に形成されている。したがって以下の説明では、左右対称な部分については、主として、左右の一方の側のみについて説明する。
なお、物品縦方向Ｘは、着用者の腹側に配される部分から股間に配される部分を経て背側に配される部分に至る方向であり、通常、吸収性本体３の長手方向と一致している。他方、物品横方向Ｙは、図２に示すように、おむつを展開して引き伸ばした状態において、物品縦方向Ｘと直交する方向であり、図１に示すように、腹側部Ａの両側部と背側部Ｂの両側部とが連結されて形成された筒状の胴回り部Ｄにおいては、その周方向と一致している。また、物品縦方向Ｘは、腹側部Ａ及び背側部Ｂにおいて着用時の上下方向であるため、腹側部Ａ及び背側部Ｂそれぞれにおけるウエスト開口縁部Ｗｅ側を上側又は上方、股下部Ｃ側を下側又は下方ともいう。おむつ１における、腹側シート部材２Ａと背側部Ｂを形成する背側シート部材２Ｂとの間は、着用者の股間部に配される股下部Ｃとなっている。
【００１２】
本実施形態のおむつ１において、外装体２を構成する腹側シート部材２Ａ及び背側シート部材２Ｂは、それぞれ、おむつの外面をなす外層シート２２と、外層シート２２の内面側に配された内層シート２３と、両シート２２，２３間に伸長状態で配された複数本の糸状の弾性部材２４とを備えており、それぞれ、ウエスト伸縮部Ｇ１及び胴回り伸縮部Ｇ２を有している。本実施形態のおむつ１においては、外層シート２２が、着用者の身体から遠い側に配される外層シートであり、内層シート２３が、外装体２において、着用者の身体に近い側に位置する内層シートである。図２は着用者の身体に近い側から見た図であり、外装体２の内層シート２３が確認できる。
【００１３】
ウエスト伸縮部Ｇ１は、おむつ１の縦方向Ｘにおいて、吸収性本体３の長手方向の両端３ａ，３ｂそれぞれの外方に形成されている。胴回り伸縮部Ｇ２は、腹側シート部材２Ａ及び背側シート部材２Ｂのそれぞれにおいて、ウエスト伸縮部Ｇ１より下方であってサイドシール部Ｓの下端より上方に形成されている。ウエスト伸縮部Ｇ１及び胴回り伸縮部Ｇ２においては、外層シート２２と内層シート２３との間が、散点状に形成された多数の内側接合部２６において接合されている。
より詳細には、図２に示すように、腹側部Ａを構成する腹側シート部材２Ａ及び背側部Ｂを構成する背側シート部材２Ｂのそれぞれは、物品縦方向中心線ＣＬの両側それぞれにおける、サイドシール部Ｓの物品横方向Ｙの内側近傍に、外層シート２２と内層シート２３とが、物品縦方向Ｘに沿って間欠的に接合された間欠接合部２６Ｓを有している。
間欠接合部２６Ｓを構成する個々の内側接合部２６は、物品縦方向Ｘに間隔を開けて直列配置されている。また、その複数個の内側接合部２６は、それぞれ、物品縦方向Ｘにおいて隣り合う一対の弾性部材２４，２４間に配置されており、該一対の弾性部材２４のいずれとも重なっていない。換言すれば、弾性部材２４は、物品縦方向Ｘにおいて隣り合う一対の内側接合部２６間に配されており、該一対の内側接合部２６のいずれにも固定されていない。
【００１４】
また、図２に示すように、腹側部Ａを構成する腹側シート部材２Ａ及び背側部Ｂを構成する背側シート部材２Ｂのそれぞれは、物品縦方向中心線ＣＬの両側それぞれにおける、前記間欠接合部２６Ｓよりも更にその内側に、物品横方向Ｙの位置が異なる以外は、間欠接合部２６Ｓと同様の構成を有する第２間欠接合部２６Ｐを有している。第２間欠接合部２６Ｐも、外層シート２２と内層シート２３との間が、複数個の内側接合部２６により物品縦方向Ｘに沿って間欠的に接合されて形成されている。間欠接合部２６Ｓと第２間欠接合部２６Ｐとでは、それらを構成する個々の内側接合部の物品縦方向Ｘの位置も一致しており、ウエスト伸縮部Ｇ１及び胴回り伸縮部Ｇ２のいずれにおいても、複数本の弾性部材２４が、間欠接合部２６Ｓを構成する内側接合部間及び第２間欠接合部２６Ｐを構成する内側接合部間を通って、物品横方向Ｙに延びている。
【００１５】
本おむつ１における外装体２は、図２に示すように、腹側シート部材２Ａ及び背側シート部材２Ｂのそれぞれは、物品縦方向中心線ＣＬの両側それぞれに、外層シート２２と内層シート２３との間が接着剤を介して接合された一対の外側固定領域２７を有している。また、おむつ１における外装体２は、吸収性本体３の側縁３ｃの位置の近傍に、外層シート２２と内層シート２３との間が接着剤を介して接合された吸収性本体側固定領域２８を有している。
ウエスト伸縮部Ｇ１に配された弾性部材２４は、一対の外側固定領域２７それぞれにおいてシート２２，２３間に固定されている一方、外側固定領域２７間においては、シート２２，２３の何れにも固定されていない。他方、胴回り伸縮部Ｇ２に配された弾性部材２４は、外側固定領域２７と吸収性本体側固定領域２８のそれぞれにおいてシート２２，２３間に固定されている一方、端部固定部２７と吸収性本体側固定部２８との間においては、シート２２，２３の何れにも固定されていない。
【００１６】
間欠接合部２６Ｓ及び第２間欠接合部２６Ｐは、物品縦方向Ｘにおいて、ウエスト伸縮部Ｇ１から胴回り伸縮部Ｇ２に亘っている。
また、ウエスト伸縮部Ｇ１には、第２間欠接合部２６Ｐが、物品横方向Ｘに略等間隔に多数配されている。より具体的には、一方の間欠接合部２６Ｓの近傍から他方の間欠接合部２６Ｓの近傍に亘って略等間隔に多数配されている。胴回り伸縮部Ｇ２にも、第２間欠接合部２６Ｐが、一方の間欠接合部２６Ｓの近傍から他方の間欠接合部２６Ｓの近傍に亘って略等間隔に多数配されているが、一対の吸収性本体側固定部２８間には、弾性部材２４が配されていないか、切断等の弾性伸縮性を発現しないようにする処理を施された状態で配されている。
【００１７】
ウエスト伸縮部Ｇ１及び胴回り伸縮部Ｇ２においては、図４に示すように、弾性部材２４が収縮することにより、隣接する第２間欠接合部２６Ｐ間のシート２２及び２３が外方に膨らむように変形して、隣接する第２間欠接合部２６Ｐ間にシート２２又はシート２３からなる襞２９が生じると共に、両シート２２，２３間には、襞２９と襞２９とに周囲を囲まれた中空部３０が形成される。これにより、外装体２の柔らかさが向上して肌触り等が向上する。また、内層シート２３を、不織布等の通気性シートで形成した場合等においては、おむつ１内の湿気を外部に一層逃がしやすくなる。
【００１８】
吸収性本体３は、液透過性の表面シート３１、液難透過性の裏面シート３２及びそれらの間に配置された吸収体３３を有している。液難透過性は、液不透過性と液難透過性と包括する。また、吸収性本体３の両側部には、一対の立体ガード形成用シート３４，３４が配されている。立体ガード形成用シート３４は、物品縦方向中心線ＣＬ寄りの端縁近傍に、立体ガード形成用の弾性部材３５を有し、おむつの着用時には、その弾性部材３５の収縮力により、該端縁から所定幅の部分が表面シート３１から離間するように起立して立体ガードを形成する。
【００１９】
おむつ１のサイドシール部Ｓは、図３に示すように、物品横方向Ｙに沿って配された弾性部材２４と重ならないように物品縦方向Ｘに間欠的に形成された複数の外側接合部５を有している。本実施形態において、外側接合部５は、ウエスト開口部ＷＯ側の端部及びレッグ開口部ＬＯ側の端部に位置する外側接合部を除く総ての外側接合部が、弾性部材２４どうし間に配されている。また、外側接合部５は、サイドシール部Ｓの物品縦方向Ｘにおいて、弾性部材２４と交互に配されており、サイドシール部Ｓの物品縦方向Ｘの略全長に亘って等間隔に配されている。本実施形態においては、物品縦方向Ｘにおいて隣り合う弾性部材２４間には、それぞれ一つの外側接合部５が配されているが、これに代えて、隣り合う弾性部材２４間に、複数の外側接合部５が形成されていても良い。複数の外側接合部５は、物品縦方向Ｘに並んでいても良いし、物品横方向に並んでいても良い。
外側接合部５は、サイドシール部Ｓの長手方向の全長に亘って所定のピッチＰで分布していることが好ましい。外側接合部５のピッチＰは、好ましくは０．５ｍｍ以上、より好ましくは２ｍｍ以上であり、また、好ましくは１０ｍｍ以下、より好ましくは５ｍｍ以下であり、また、好ましくは０．５ｍｍ以上１０ｍｍ以下であり、より好ましくは２ｍｍ以上５ｍｍ以下である。なお、外側接合部５のピッチＰは、図３に示すとおり、隣り合う外側接合部５の同じ位置同士（例えば、上辺５ｕ同士）間の距離である。
【００２０】
また、個々の外側接合部５は、図３に示すように、物品横方向に長い横長の四角形状であり、物品横方向Ｙに沿う上辺５ｕ及び下辺５ｄを有している。また、個々の外側接合部５は、物品縦方向Ｘに沿って延びて、上辺５ｕと下辺５ｄとの間を繋いでいる内辺５ｎ及び外辺５ｇを有している。
他方、前述した間欠接合部２６Ｓを構成する個々の内側接合部２６は、図３に示すように、物品縦方向Ｘに長い縦長の四角形状であり、それぞれ物品縦方向Ｘに沿う直線状の内縁部２６ｎ及び外縁部２６ｇと、それぞれ物品横方向Ｙに沿う直線状の上縁部２６ｕ及び下縁部２６ｄを有している。
そして、間欠接合部Ｓの個々の内側接合部２６は、サイドシール部側に位置し物品縦方向に沿う外縁部２６ｇが、物品縦方向Ｘにおいて外側接合部５と同じ高さに位置する部分と、外側接合部５の上端位置より上方に延出する部分と、外側接合部５の下端位置より下方に延出する部分とを有している。図３及び図５中の直線Ｌｕは、外側接合部５の上端位置を示す直線であるとともに、個々の外側接合部５の上辺５ｕの延長線である。また、図３及び図５中の直線Ｌｄは、外側接合部５の下端位置を示す直線であるとともに、個々の外側接合部５の下辺５ｄの延長線である。
【００２１】
また、本発明における内側接合部２６の外縁部２６ｇは、本実施形態における外縁部２６ｇのように物品縦方向Ｘと平行であるか、物品縦方向Ｘと平行な直線Ｘ１に対する傾斜角度θが４５°未満である。内側接合部２６の外縁部２６ｇは、物品縦方向Ｘと平行な直線Ｘ１に対する傾斜角度θが３０°以下であることが好ましく、１５°以下であることがより好ましく、５°未満であることが更に好ましい。また、図５（ｃ）に示すように、内側接合部２６のサイドシール部側の縁部が非直線状に形成されていても良く、その場合、該縁部のうち、物品縦方向Ｘと平行な直線Ｘ１に対する接線Ｓ１の傾斜角度θが４５°未満である範囲を、物品縦方向に沿う外縁部２６ｇとする。
【００２２】
本実施形態のおむつ１においては、個々の外側接合部５の上辺５ｕ及び下辺５ｄそれぞれの延長線Ｌｕ，Ｌｄが、間欠接合部２６Ｓを構成する個々の内側接合部２６の外縁部２６ｇと交差している。
上辺５ｕの延長線Ｌｕが、内側接合部２６の外縁部２６ｇと交差するとは、外縁部２６ｇが、延長線Ｌｕとの交差部より上方に延出する部分を有することを意味し、下辺５ｄの延長線ＬＤが、内側接合部２６の外縁部２６ｇと交差するとは、外縁部２６ｇが、延長線ＬＤとの交差部より下方に延出する部分を有することを意味する。
なお、本実施形態における間欠接合部２６Ｓの内側接合部２６は、サイドシール部Ｓの長手方向の全長に亘って間欠配置されている。より具体的には、サイドシール部Ｓを形成する総ての外側接合部５の物品横方向Ｙの内側に間欠接合部２６Ｓの内側接合部２６が位置している。また、間欠接合部２６Ｓは、総ての内側接合部２６の外縁部２６ｇが、サイドシール部Ｓの長手方向と平行な一直線上に位置している。
【００２３】
本実施形態のおむつ１は、通常のパンツ型使い捨ておむつと同様に着用することができる。
本実施形態のおむつ１によれば、弾性部材２４と重ならないように複数の外側接合部を物品長手方向Ｘに間欠的に形成してサイドシール部Ｓを形成してあるため、物品長手方向Ｙに沿って連続した接合部を形成するときに比較して、サイドシール部Ｓを柔軟にすることができる。
また、使用後におむつ１を脱ぐため又は脱がせるために、サイドシール部Ｓをウエスト開口部ＷＯ側から引き裂くと、サイドシール部Ｓを構成するシートの破断が、場合によっては、途中から物品横方向Ｙの内方に向かって進行することがある。そのような場合においても、サイドシール部Ｓの内側近傍に間欠接合部２６Ｓが存在し、かつ、間欠接合部Ｓの個々の内側接合部２６の前記外縁部２６ｇが、外側接合部５と同じ高さに位置する部分と、外側接合部５の上端位置より上方に延出する部分と、外側接合部５の下端位置より下方に延出する部分とを有しているため、その破断の進行方向を、物品横方向Ｙの内方に向かう方向からサイドシール部Ｓに沿う方向へと是正することができる。また、サイドシール部Ｓをレッグ開口部ＬＯ側から引き裂く場合も同様に、破断の進行方向を是正することができる。そのため、本実施形態のおむつ１によれば、サイドシール部を構成するシートの破断が物品横方向内方に向かって進行しても、その進行方向をサイドシール部の縦方向に是正することができ、サイドシール部を解放する作業を簡単且つスムーズに行うことができる。
【００２４】
更に、本実施形態においては、外側接合部５の上辺５ｕ及び下辺５ｄそれぞれの延長線Ｌｕ，ＬＤ上に、間欠接合部２６Ｓを構成する内側接合部２６の前記外縁部２６ｇが存在するため、破断の進行方向を、物品横方向Ｙの内方に向かう方向からサイドシール部Ｓに沿う方向へと是正する効果が一層確実に得られる。
なお、間欠接合部２６Ｓに代えて、外層シート２２と内層シート２３との間を、物品縦方向に連続的に接合した接合部を設けた場合には、該接合部によって弾性部材が切断され、結果、弾性部材の伸縮特性が失われる恐れがある。また、物品縦方向に連続する接合部によって弾性部材が切断され、弾性部材の伸縮特性が失われてしまう恐れがあり、また、外装体２の大部分が接合部になり、おむつ等の風合いや柔らかさが失われる恐れがある。
また、サイドシール部Ｓを、物品長手方向に連続的に接合した接合部とした場合には、サイドシール部の柔軟性が失われてしまう。
【００２５】
上述した効果が一層確実に奏されるようにする観点から、間欠接合部２６Ｓの個々の内側接合部２６の外縁部２６ｇは、外側接合部５の上端位置より上方に延出する部分の長さＬ１及び外側接合部５の下端位置より下方に延出する部分の長さＬ２それぞれの、内側接合部２６の外縁部２６ｇの全長Ｌ３に対する割合が、好ましくは１０％以上、更に好ましくは３０％以上であり、また、好ましくは５０％以下、更に好ましくは４５％以下であり、また、好ましくは１０％以上５０％以下であり、更に好ましくは３０％以上４５％以下である。
【００２６】
また、上述した効果が一層確実に奏されるようにする観点から、個々の間欠接合部２６Ｓの個々の内側接合部２６の外縁部２６ｇは、上辺５ｕの延長線Ｌｕとの交差部より上方に延出する長さＬ１及び下辺５ｄの延長線Ｌｄとの交差部より下方に延出する長さＬ２それぞれの、外縁部２６ｇの全長Ｌ３に対する割合が、好ましくは１０％以上、より好ましくは３０％以上であり、また、好ましくは５０％以下、より好ましくは４５％以下であり、また、好ましくは１０％以上５０％以下であり、より好ましくは３０％以上４５％以下である。
同様の観点から、外縁部２６ｇが、外側接合部５の上端位置より上方に延出する長さＬ１又は外縁部２６ｇが上辺５ｕの延長線Ｌｕとの交差部より上方に延出する長さＬ１は、それぞれ、好ましくは０．５ｍｍ以上、より好ましくは１ｍｍ以上であり、また、好ましくは５ｍｍ以下、より好ましくは２ｍｍ以下であり、また、好ましくは０．５ｍｍ以上５ｍｍ以下であり、より好ましくは１ｍｍ以上２ｍｍ以下である。
また、同様の観点から、外縁部２６ｇが、外側接合部５の下端位置より下方に延出する長さＬ２又は外縁部２６ｇが下辺５ｄの延長線Ｌｄとの交差部より下方に延出する長さＬ２は、それぞれ、好ましくは０．５ｍｍ以上、より好ましくは１ｍｍ以上であり、また、好ましくは５ｍｍ以下、より好ましくは２ｍｍ以下であり、また、好ましくは０．５ｍｍ以上５ｍｍ以下であり、より好ましくは１ｍｍ以上２ｍｍ以下である。
【００２７】
また、同様の観点から、サイドシール部の外側接合部の内縁部から内側接合部２６の外縁部２６ｇまでの距離Ｌ５（図３参照）は、外縁部２６ｇの全長Ｌ３に対する割合が、好ましくは０％以上、より好ましくは１０％以上であり、また、好ましくは２００％以下、より好ましくは１５０％以下であり、また、好ましくは０％以上２００％以下であり、より好ましくは１０％以上１５０％以下である。また、前記距離Ｌ５は、好ましくは０ｍｍ以上であり、また、好ましくは１０ｍｍ以下、より好ましくは５ｍｍ以下であり、また、０〜１０ｍｍが好ましく、０〜５ｍｍがより好ましい。
また、間欠接合部２６Ｓの個々の内側接合部２６の外縁部２６ｇの物品縦方向Ｘの全長Ｌ３は、弾性部材２４どうし間の同方向の間隔Ｌ４（図３参照）に対する割合が、好ましくは１０％以上、より好ましくは３０％以上であり、また、好ましくは９０％以下、より好ましくは７０％以下であり、また、好ましくは１０％以上９０％以下であり、より好ましくは３０％以上７０％以下である。
【００２８】
また、サイドシール部に形成された個々の外側接合部５は、物品横方向の長さＬ６が物品縦方向の長さＬ７よりも長い横長形状であることが、破断の進行方向を、内側接合部２６の外縁部２６ｇに誘導して、サイドシール部を構成するシートの横方向への破断を確実に阻止する観点から好ましく、同様の観点から、上辺５ｕ及び下辺５ｄの長さＬ６が、上辺と下辺との間を繋ぐ内外辺５ｇ，５ｎの長さＬ７よりも長いことが、一層好ましい。
個々の外側接合部５の前記長さＬ７は、前記長さＬ６に対する割合が、好ましくは５％以上、より好ましくは１０％以上であり、また、好ましくは８０％以下、より好ましくは５０％以下であり、また、好ましくは５％以上８０％以下であり、より好ましくは１０％以上５０％以下である。また、上辺５ｕ及び下辺５ｄの長さＬ６は、好ましくは０．５ｍｍ以上、より好ましくは１ｍｍ以上であり、また、好ましくは１０ｍｍ以下、より好ましくは６ｍｍ以下であり、また、好ましくは０．５ｍｍ以上１０ｍｍ以下であり、より好ましくは１ｍｍ以上６ｍｍ以下である。
【００２９】
また、本実施形態においては、サイドシール部Ｓの外側接合部５を形成するシール加工として、超音波接合を採用している。従来技術においては、サイドシール部は、熱エンボス加工による融着や接着剤による接着で形成されている場合が多かったが、これと異なり、本実施形態においては超音波接合を採用している。超音波接合は、ホーンの超音波振動によって生じる摩擦熱で対象物を接合させる。したがって、超音波接合によってサイドシール部Ｓを形成することには、サイドシール部Ｓが硬い感触を呈することを効果的に防止できるという利点がある。特に、コスト低減の目的で、接合対象物である内層シート２３として単一樹脂の繊維のみから構成される不織布を用いる場合、該繊維は熱による損傷を受けやすいので、そのような繊維を含む対象物を接合する場合に超音波接合を採用することは、十分な接合強度を確保しつつ、サイドシール部Ｓが硬くなることを効果的に防止し得る点から有効である。
【００３０】
サイドシール部Ｓの形成に超音波接合を採用することは、接合対象物である、腹側部Ａ及び背側部Ｂの両側部における接合面、すなわち内層シート２３が、単一樹脂の繊維のみから構成される繊維シート、例えば不織布である場合に特に有効である。「単一樹脂の繊維」とは、繊維の横断面での樹脂の組成が均一である繊維のことである。したがって単一樹脂の繊維は、一種類の樹脂から構成される繊維だけでなく、二種類の樹脂のブレンド物から構成される繊維も包含する。しかし、芯鞘型複合繊維やサイド・バイ・サイド型複合繊維などの複合繊維は包含しない。単一樹脂の繊維のみから構成される不織布としては、ポリプロピレン、ポリエチレン、ポリプロピレンとポリエチレンとのブレンド物等の繊維のみから構成されるスパンボンド不織布、メルトブローン不織布、スパンレース不織布、エアスルー不織布、ニードルパンチ不織布などが挙げられる。特に、ポリプロピレンのみからなる繊維のみから構成される不織布を内層シート２３として用いる場合に、超音波接合を採用することが有効である。
【００３１】
間欠的に形成された外側接合部５を形成することは、サイドシール部Ｓの接合面である内層シート２３が、単一樹脂の繊維のみから構成される不織布からなる場合に特に有効である。
【００３２】
超音波接合を採用して外側接合部５を間欠的に形成すると、おむつ１の長手方向Ｙで隣り合う接合部間に位置する繊維には、接合に起因する損傷がほとんど及ばないという利点がある。また、サイドシール部Ｓのシール強度を向上させることができるという利点もある。
【００３３】
また、本実施形態のおむつ１においては、前述の通り、間欠接合部２６Ｓの物品横方向Ｙの内側に該間欠接合部と同一構成の第２間欠接合部２６Ｐを有している。
サイドシール部の引き裂き方が悪いと、物品の幅方向内方に向かって進行するシートの破断の進行方向を間欠接合部２６Ｓによって是正することができない場合やその程度が不十分な場合が生じ得る。そのような場合であっても、間欠接合部２６Ｓと同様の構成を有する第２間欠接合部２６Ｐを有することによって、その進行方向を確実に物品縦方向へと是正することができる。
【００３４】
また、第２間欠接合部２６Ｐは、物品横方向Ｘに略等間隔に複数列配されている。
第２間欠接合部２６Ｐが物品横方向Ｘに略等間隔に複数列配されていることで、外装体２は、第２間欠接合部２６Ｐよって、物品横方向Ｘに略等間隔に区分される。そのため、弾性部材２４が収縮することにより、隣接する第２間欠接合部２６Ｐ間にシート２９及び中空部３０が等間隔で形成され、使い捨ておむつの外観が向上するとともに、外装体２の柔らかさが向上して肌触り等が向上する。また、内層シート２３を、不織布等の通気性シートで形成した場合等においては、おむつ１内の湿気を外部に一層逃がしやすくなる。
【００３５】
本実施形態のおむつ１においては、図２に示すように、腹側部Ａ及び背側部Ｂそれぞれの物品横方向における間欠接合部２６Ｓより外方に、前述した端部固定部２７を有し、端部固定部２７が、外側接合部５の外側端部又はそれより外方まで達している。弾性部材２４の収縮によりサイドシール部Ｓを収縮させることで、サイドシール部Ｓが縮んで目立たなくなる。また、サイドシール部Ｓが縮むことによって、外層体にサイドシール部が隠れ、指に接合部が触れないため、柔らかい。
【００３６】
おむつ１の形成材料について説明する。
外層シート２２及び内層シート２３としては、使い捨ておむつ等の吸収性物品に従来用いられている各種のシート材を特に制限なく用いることができる。例えば、不織布を用いることが好ましく、不織布は、構成繊維が、単一樹脂の繊維に限られず、芯鞘型複合繊維やサイド・バイ・サイド型複合繊維などの複合繊維を用いることもできる。また、不織布としては、エアスルー不織布、ヒートロール不織布、スパンレース不織布、スパンボンド不織布、メルトブローン不織布の単層の不織布又はこれらが２層以上に積層された積層不織布等を用いることもできる。また、外層シート２２，内層シート２３として、不織布とフィルムとを一体化したシート等を用いることもできる。
【００３７】
表面シート３１、裏面シート３２、吸収体３３及び立体ガード形成用シート３４としては、使い捨ておむつ等の吸収性物品に従来用いられているもの等を、特に制限なく用いることができる。例えば、表面シート３１としては、液透過性の不織布や、開孔フィルム、これらの積層体等を用いることができ、裏面シート３２としては、樹脂フィルムや樹脂フィルムと不織布の積層体等を用いることができる。吸収体３３としては、パルプ等の繊維材料の繊維集合体からなる吸収性コア又はこれに高吸収性ポリマーを担持させた吸収性コアを、ティッシュペーパーや透水性の不織布等からなるコアラップシートで包んでなるもの等を用いることができる。立体ガード形成用シート３４としては、伸縮性のフィルム、撥水性の不織布、織物又はそれらの積層シート等を用いることができる。
【００３８】
弾性部材２４，３５の形成材料としては、使い捨ておむつ等の吸収性物品に従来用いられる各種の弾性材料を特に制限なく用いることができる。例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００３９】
次に、本発明のパンツ型吸収性物品の他の実施形態について説明する。以下の実施形態に関し特に説明しない点は、上述した第１実施形態と同様であり、第１実施形態に関する説明が適宜適用される。
【００４０】
本発明の第２及び第３実施形態においては、図５（ａ）及び（ｂ）に示すように、間欠接合部２６Ｓを構成する個々の内側接合部２６が、物品縦方向Ｘに長い形状の三角形状を有している。そして、第２実施形態おける内側接合部２６の外縁部２６ｇは、物品縦方向と平行な直線状であり、第３実施形態における内側接合部２６の外縁部２６ｇは、物品縦方向と平行な直線Ｘ１に対する傾斜角度θが４５°未満、より具体的には３０°以下の直線状である。
【００４１】
本発明の第４実施形態においては、図５（ｃ）に示すように、間欠接合部２６Ｓを構成する個々の内側接合部２６が、物品縦方向Ｘに長い形状の楕円形状を有しており、サイドシール側に円弧状の外縁部２６ｇを有している。第４実施形態の楕円形の内側接合部２６は、サイドシール側に位置する縁部における、上端及び下端部分を除いた部分が、物品縦方向と平行な直線Ｘ１に対する接線Ｓ１の傾斜角度が４５°未満、好ましくは３０°未満の領域となっており、当該部分が、本発明における内側接合部２６の外縁部２６ｇである。
【００４２】
本発明の第５実施形態においては、図５（ｄ）に示すように、間欠接合部２６Ｓを構成する個々の内側接合部２６が、２つの三角形がそれらの頂点でつながった形状を有している。第５実施形態における外縁部２６ｇは、一方の三角形の外縁部２６ｇ1と他方の三角形の外縁部２６ｇ2からなり、それらの外縁部２６ｇ1及び２６ｇ2は、何れも、物品縦方向に延びる直線Ｘ１に対する傾斜角度が４５°未満であり、好ましくは３０°以下である。
【００４３】
第２〜第５実施形態のパンツ型吸収性物品においては、図５（ａ）〜（ｄ）に示すとおり、間欠接合部２６Ｓを構成する個々の内側接合部２６の前記外縁部２６ｇが、外側接合部５と同じ高さに位置する部分と、外側接合部５の上端位置より上方に延出する部分と、外側接合部の下端位置より下方に延出する部分とを有している。しかも、外側接合部５の上辺５ｕ及び下辺５ｄのそれぞれの延長線Ｌｕ，Ｌｄが、該外側接合部５と同じ高さに位置する部分を有する外縁部２６ｇと交差している。
そのため、第２〜第５実施形態のパンツ型吸収性物品によっても、第１実施形態と同様の効果が奏される。
【００４４】
第６〜第８実施形態のパンツ型吸収性物品は、サイドシール部Ｓを構成する個々の外側接合部５が、図６（ａ）〜（ｄ）に示す形状を有している。
【００４５】
第６実施形態においては、図６（ａ）に示すように、外側接合部５が台形状を有しており、横長形状の外側接合部５の上辺５ｇ及び下辺５ｎのそれぞれが、物品横方向に対して僅かに傾斜しており、上辺５ｇと下辺５ｎとの間の間隔が物品横方向の内方側に向かうにつれて漸減している。
【００４６】
第７及び第８実施形態においては、図６（ｂ）及び（ｃ）に示すとおり、外側接合部５が、物品横方向Ｙに長い形状の三角形状を有している。具体的には、第７実施形態における外側接合部５は、図６（ｂ）に示すとおり、物品横方向Ｙに延びる辺５ｄ、及び物品縦方向Ｘに沿って延びる辺５ｎを有する。また、第８実施形態においては、図６（ｃ）に示すとおり、外側接合部５は、物品横方向Ｙに対し傾斜した２つの辺５ｕ及び５ｄを有し、かつ物品縦方向Ｘに沿って延びる辺５ｎを有する。
【００４７】
第６〜第８実施形態のパンツ型吸収性物品においては、図６（ａ）〜（ｃ）に示すとおり、間欠接合部２６Ｓを構成する個々の内側接合部２６の前記外縁部２６ｇが、外側接合部５と同じ高さに位置する部分と、外側接合部５の上端位置より上方に延出する部分と、外側接合部の下端位置より下方に延出する部分とを有している。しかも、外側接合部５の上辺５ｕ及び下辺５ｄのそれぞれの延長線Ｌｕ’，Ｌｄ’が、該外側接合部５と同じ高さに位置する部分を有する外縁部２６ｇと交差している。そのため、第６〜第８実施形態のパンツ型吸収性物品によっても、第１実施形態と同様の効果が奏される。
【００４８】
第９実施形態においては、図６（ｄ）に示すように、外側接合部５が、物品横方向Ｙに長い形状の楕円形状を有している。また、間欠接合部２６Ｓを構成する内側接合部２６は、第４実施形態と同様に、物品縦方向Ｘに長い形状の楕円形状を有している。そして、その内側接合部２６は、サイドシール側に位置する縁部における、上端及び下端部分を除いた部分が、物品縦方向と平行な直線Ｘ１に対する接線Ｓ１の傾斜角度が４５°未満、好ましくは３０°未満の領域となっており、本発明における内側接合部２６の外縁部２６ｇである。そして、その外縁部２６ｇが、外側接合部５と同じ高さに位置する部分と、外側接合部５の上端位置より上方に延出する部分と、外側接合部の下端位置より下方に延出する部分とを有している。
【００４９】
以上、本発明のパンツ型吸収性物品の好ましい実施形態を複数説明したが、本発明は上述した各実施形態に何ら制限されるものではなく、適宜変更可能である。
【００５０】
外側接合部の形状は、図３に示すような横長矩形状のものに限られない。例えば、正方形状や縦長矩形状であっても良い。また、台形や平行四辺形状でも良い。また、外側接合部の上辺及び下辺はそれぞれ、弾性部材２４と平行であることが好ましいが、弾性部材に対して傾斜していても良く、上辺及び下辺の延長線が内側接合部２６と交差すれば、その角度に制限はない。
また、サイドシール部の外側接合部は、物品縦方向Ｘにおいて隣り合う弾性部材どうし間のそれぞれに各１個配することが好ましいが、隣り合う弾性部材どうし間に、物品縦方向又は物品横方向に沿って、外側接合部を複数個配することもできる。その場合であっても、個々の内側接合部の外縁部が、物品縦方向において外側接合部と同じ高さに位置する部分と、外側接合部の上端位置より上方に延出する部分と、外側接合部の下端位置より下方に延出する部分とを有することで、横裂けの進行方向をサイドシール部の長手方向に沿う方向に是正することができる。
【００５１】
また、サイドシール部Ｓの外側接合部５を形成する加工として、超音波接合に代えて熱エンボス加工、レーザー、接着剤等を採用することもできる。また、間欠接合部２６Ｓ及び第２間欠接合部２６Ｐの内側接合部２６を形成する可能としては、熱エンボス加工、超音波接合、接着剤等を採用することもできる。
【００５２】
また、上述した実施形態のおむつ１は、外装体２が、腹側シート部材２Ａと背側シート部材２Ｂとに分割された外装体前後分割タイプのおむつであったが、本発明のパンツ型吸収性物品の外装体は、腹側部Ａを構成する部分と背側部Ｂを構成する部分とが両側縁部が円弧状に形成された股下部Ｃを介して連続したものであっても良い。また、その場合、脚回りにレッグギャザーを形成するレッグ部弾性部材を、腹側部Ａ及び背側部Ｂの両側部に達するように湾曲させて配置しても良く、その場合においても、サイドシール部の外側接合部は、物品横方向に沿う弾性部材どうし間に、該弾性部材と重ならないように形成する。但し、サイドシール部の外側接合部が、腹側部Ａ及び背側部Ｂの両側部において、レッグ部弾性部材と重なっていても良い。
【００５３】
また、ウエスト開口部側の端部又はレッグ開口部側の端部に位置する外側接合部５や内側接合部２６は、一対の弾性部材２４間に存在せず、弾性部材２４と腹側又は背側シート部材の下端縁２ｄとの間に存在していても良い。
【００５４】
また、胴回り伸縮部Ｇ２は、ウエスト伸縮部Ｇ１のように、腹側シート部材２Ａ及び背側シート部材２Ｂそれぞれの物品横方向Ｙの略全域に亘って伸縮性を発現していても良い。また、第２間欠接合部２６Ｐは、サイドシール部Ｓに隣接させて１本又は２本のみ形成されていても良い。
また前記実施形態においては、弾性部材２４が、吸収体４の中央部を横切らないように配置されていたが、該胴回り弾性部材２４は吸収体４を横切っていてもよい。
【００５５】
また前記実施形態においては、サイドシール部Ｓに形成された外側接合部５は、おむつ１の幅方向及び長手方向と平行な辺を有する矩形であったが、これに代えて、三角形、逆三角形、円形若しくは楕円形、又はそれらの任意の組合せからなる形状の接合部を形成してもよい。また、間欠接合部２６Ｓ及び第２間欠接合部２６Ｐを構成する個々の内側接合部２６は、物品縦方向Ｘに同じ形状としたが、異なる形状を組み合わせてもよい。サイドシール部Ｓを構成する個々の外側接合部５は、物品縦方向Ｘに同じ形状としたが、異なる形状を組み合わせてもよい。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００５６】
また、パンツ型吸収性物品は、幼児又は成人用のパンツ型使い捨ておむつの他、パンツ型（ショーツ型）の生理用ナプキンやパンツ型の失禁パッド等であっても良い。
【００５７】
上述した実施形態に関し、さらに以下のパンツ型吸収性物品を開示する。
＜１＞
外装体と、該外装体に固定されている吸収性本体とを具備し、
前記外装体は、着用者の腹側に配される腹側部と着用者の背側に配される背側部とを有し、腹側部の両端部と背側部の両端部とが接合されて一対のサイドシール部が形成されているパンツ型吸収性物品であって、
前記外装体は、着用者の身体から遠い側に配される外層シートと、着用者の身体に近い側に位置する内層シートと、これら両シート間に物品横方向に沿って伸長状態で配された複数本の弾性部材を備えており、
腹側部及び背側部それぞれは、一対の前記サイドシール部それぞれの物品横方向の内側近傍に、前記外層シートと前記内層シートとが、物品縦方向に沿って間欠的に接合された間欠接合部を有しており、
前記間欠接合部は、前記弾性部材と重ならないように物品縦方向に間欠的に形成された複数の内側接合部を有し、
前記サイドシール部は、前記弾性部材と重ならないように物品縦方向に間欠的に形成された複数の外側接合部を有しており、
前記間欠接合部の個々の前記内側接合部は、前記サイドシール部側に位置し物品縦方向に沿う外縁部が、物品縦方向において前記外側接合部と同じ高さに位置する部分と、該外側接合部の上端位置より上方に延出する部分と、該外側接合部の下端位置より下方に延出する部分とを有する、パンツ型吸収性物品。
【００５８】
＜２＞
前記外側接合部は、物品横方向の長さが物品縦方向の長さよりも長い横長形状である、前記＜１＞記載のパンツ型吸収性物品。
＜３＞
前記外側接合部は、物品横方向に延びる上辺及び下辺を有し、該上辺及び該下辺のそれぞれの延長線が、該外側接合部と同じ高さに位置する部分を有する前記外縁部と交差する、前記＜１＞又は＜２＞記載のパンツ型吸収性物品。
＜４＞
前記外側接合部は、物品横方向に沿う上辺又は下辺を有している、前記＜１＞〜＜３＞の何れか１に記載のパンツ型吸収性物品。
＜５＞
前記外側接合部は、物品横方向に長い横長の四角形状を有している、前記＜１＞〜＜４＞の何れか１に記載のパンツ型吸収性物品。
＜６＞
前記外側接合部が、物品横方向に長い形状の三角形状を有している、前記＜１＞〜＜５＞の何れか１に記載のパンツ型吸収性物品。
＜７＞
前記外側接合部が、物品横方向に長い形状の楕円形状を有している、前記＜１＞〜＜６＞の何れか１に記載のパンツ型吸収性物品。
＜８＞
前記内側接合部は、物品縦方向の長さが物品横方向の長さよりも長い縦長形状である、前記＜１＞〜＜７＞の何れか１に記載のパンツ型吸収性物品。
＜９＞
前記内側接合部の外縁部は、物品縦方向と平行な直線状であり、前記＜１＞〜＜８＞の何れか１に記載のパンツ型吸収性物品。
【００５９】
＜１０＞
前記内側接合部は、物品縦方向に長い縦長の四角形状、前記＜１＞〜＜９＞の何れか１に記載のパンツ型吸収性物品。
＜１１＞
前記内側接合部は、物品縦方向に長い形状の三角形状を有している、前記＜１＞〜＜１０＞の何れか１に記載のパンツ型吸収性物品。
＜１２＞
前記内側接合部は、物品縦方向に長い形状の楕円形状を有しており、前記＜１＞〜＜１１＞の何れか１に記載のパンツ型吸収性物品。
＜１３＞
前記内側接合部は、２つの三角形がそれらの頂点でつながった形状を有している、前記＜１＞〜＜１２＞の何れか１に記載のパンツ型吸収性物品。
＜１４＞
前記外側接合部は、前記腹側部の前記両端部と前記背側部の前記両端部とを超音波接合することによって形成されている、前記＜１＞〜＜１３＞の何れか１に記載のパンツ型吸収性物品。
＜１５＞
前記間欠接合部の物品横方向の内側に該間欠接合部と同一構成の第２間欠接合部が形成されている、前記＜１＞〜＜１４＞の何れか１に記載のパンツ型吸収性物品。
＜１６＞
前記第２間欠接合部は、物品横方向に等間隔に複数列配されている、前記＜１＞〜＜１５＞の何れか１に記載のパンツ型吸収性物品。
＜１７＞
前記間欠接合部と前記第２間欠接合部とは、それらを構成する個々の内側接合部の物品縦方向の位置が一致しており、複数本の前記弾性部材が、前記間欠接合部を構成する内側接合部間及び前記第２間欠接合部を構成する内側接合部間を通って、物品横方向に延びている、前記＜１＞〜＜１６＞の何れか１に記載のパンツ型吸収性物品。
＜１８＞
前記間欠接合部及び前記第２間欠接合部は、物品縦方向において、ウエスト伸縮部から胴回り伸縮部に亘って配されている、前記＜１＞〜＜１７＞の何れか１に記載のパンツ型吸収性物品。
＜１９＞
腹側部及び背側部それぞれの物品横方向における前記間欠接合部より外方に、複数本の前記弾性部材が、前記内層シートと前記外層シートとの間に伸長状態で接着固定された外側固定領域を有し、該外側固定領域は、前記外側接合部の外側端部又はそれより外方まで達している、前記＜１＞〜＜１８＞の何れか１に記載のパンツ型吸収性物品。
【００６０】
＜２０＞
前記外側接合部のピッチは、好ましくは０．５ｍｍ以上、より好ましくは２ｍｍ以上であり、また、好ましくは１０ｍｍ以下、より好ましくは５ｍｍ以下であり、また、好ましくは０．５ｍｍ以上１０ｍｍ以下であり、より好ましくは２ｍｍ以上５ｍｍ以下である、前記＜１＞〜＜２０＞の何れか１に記載のパンツ型吸収性物品。
＜２１＞
前記内側接合部の外縁部は、物品縦方向と平行であるか、物品縦方向と平行な直線に対する傾斜角度θが４５°未満であり、３０°以下であることが好ましく、１５°以下であることがより好ましく、５°未満であることが更に好ましい、前記＜１＞〜＜２０＞の何れか１に記載のパンツ型吸収性物品。
＜２２＞
前記内側接合部のサイドシール部側の縁部が非直線状に形成されており、外縁部は、物品縦方向と平行な直線に対する接線の傾斜角度θが４５°未満の範囲である、前記＜１＞〜＜２１＞の何れか１に記載のパンツ型吸収性物品。
＜２３＞
前記サイドシール部を形成する総ての前記外側接合部の物品横方向の内側に間欠接合部の内側接合部が位置している、前記＜１＞〜＜２２＞の何れか１に記載のパンツ型吸収性物品。
＜２４＞
前記間欠接合部は、総ての内側接合部の外縁部が、サイドシール部の長手方向と平行な一直線上に位置している、前記＜１＞〜＜２３＞の何れか１に記載のパンツ型吸収性物品。
＜２５＞
前記内側接合部の外縁部は、前記外側接合部の上端位置より上方に延出する部分の長さＬ１及び外側接合部５の下端位置より下方に延出する部分の長さＬ２それぞれの、外縁部の全長Ｌ３に対する割合が、好ましくは１０％以上、更に好ましくは３０％以上であり、また、好ましくは５０％以下、更に好ましくは４５％以下であり、また、好ましくは１０％以上５０％以下であり、更に好ましくは３０％以上４５％以下である、前記＜１＞〜＜２４＞の何れか１に記載のパンツ型吸収性物品。
＜２６＞
前記内側接合部の外縁部が、前記外側接合部の上端位置より上方に延出する長さＬ１又は、前記外側接合部の下端位置より下方に延出する長さＬ２は、好ましくは０．５ｍｍ以上、より好ましくは１ｍｍ以上であり、また、好ましくは５ｍｍ以下、より好ましくは２ｍｍ以下であり、また、好ましくは０．５ｍｍ以上５ｍｍ以下であり、より好ましくは１ｍｍ以上２ｍｍ以下である、前記＜１＞〜＜２５＞の何れか１に記載のパンツ型吸収性物品。
＜２７＞
前記外側接合部の内縁部から前記内側接合部の外縁部までの距離Ｌ５は、前記内側接合部の外縁部の全長Ｌ３に対する割合が、好ましくは０％以上、より好ましくは１０％以上であり、また、好ましくは２００％以下、より好ましくは１５０％以下であり、また、好ましくは０％以上２００％以下であり、より好ましくは１０％以上１５０％以下である、前記＜１＞〜＜２６＞の何れか１に記載のパンツ型吸収性物品。
＜２８＞
前記外側接合部の内縁部から前記内側接合部の外縁部までの距離Ｌ５は、好ましくは０ｍｍ以上であり、また、好ましくは１０ｍｍ以下、より好ましくは５ｍｍ以下であり、また、０〜１０ｍｍが好ましく、０〜５ｍｍがより好ましい前記＜１＞〜＜２７＞の何れか１に記載のパンツ型吸収性物品。
＜２９＞
前記内側接合部の外縁部の全長Ｌ３は、弾性部材どうし間の間隔Ｌ４に対する割合が、好ましくは１０％以上、より好ましくは３０％以上であり、また、好ましくは９０％以下、より好ましくは７０％以下であり、また、好ましくは１０％以上９０％以下であり、より好ましくは３０％以上７０％以下である、前記＜１＞〜＜２８＞の何れか１に記載のパンツ型吸収性物品。
【００６１】
＜３０＞
前記外側接合部の物品縦方向の長さＬ７は、前記外側接合部の物品横方向の長さＬ６に対する割合が、好ましくは５％以上、より好ましくは１０％以上であり、また、好ましくは８０％以下、より好ましくは５０％以下であり、また、好ましくは５％以上８０％以下であり、より好ましくは１０％以上５０％以下である、前記＜１＞〜＜２９＞の何れか１に記載のパンツ型吸収性物品。
＜３１＞
前記外側接合部の物品横方向の長さＬ６は、好ましくは０．５ｍｍ以上、より好ましくは１ｍｍ以上であり、また、好ましくは１０ｍｍ以下、より好ましくは６ｍｍ以下であり、また、好ましくは０．５ｍｍ以上１０ｍｍ以下であり、より好ましくは１ｍｍ以上６ｍｍ以下である、前記＜１＞〜＜３０＞の何れか１に記載のパンツ型吸収性物品。
＜３２＞
前記内層シートが、単一樹脂の繊維のみから構成される繊維シート（例えば不織布）であり、単一樹脂の繊維のみから構成される不織布としては、ポリプロピレン、ポリエチレン、ポリプロピレンとポリエチレンとのブレンド物等の繊維のみから構成されるスパンボンド不織布、メルトブローン不織布、スパンレース不織布、エアスルー不織布、ニードルパンチ不織布などが挙げられる、前記＜１＞〜＜３１＞の何れか１に記載のパンツ型吸収性物品。
＜３３＞
前記パンツ型吸収性物品は、幼児若しくは成人用のパンツ型使い捨ておむつ、パンツ型（ショーツ型）の生理用ナプキン、又はパンツ型の失禁パッドである、前記＜１＞〜＜３２＞の何れか１に記載のパンツ型吸収性物品。
【符号の説明】
【００６２】
１  パンツ型使い捨ておむつ（パンツ型吸収性物品）
２  外装体
２２  外層シート
２３  内層シート
２４  弾性部材
２６Ｓ  間欠接合部
２６  内側接合部
２６ｇ  外縁部
２６Ｐ  第２間欠接合部
Ａ  腹側部
２Ａ  腹側シート部材（外装体）
Ｂ  背側部
２Ｂ  背側シート部材（外装体）
Ｇ１  ウエスト伸縮部
Ｇ２  胴回り伸縮部
３  吸収性本体
３１  表面シート
３２  裏面シート
３３  吸収体
４  吸収体
Ｓ  サイドシール部
５  外側接合部
５ｕ  上辺
５ｄ  下辺
【図１】
2014124477.tif 000003
【図２】
2014124477.tif 000004
【図３】
2014124477.tif 000005
【図４】
2014124477.tif 000006
【図５】
2014124477.tif 000007
【図６】
2014124477.tif 000008